(57)【要約】【課題】強盗行為などを行った犯人が店舗の出入り口から逃走するとき、ＳＷの操作によって犯人に目印になる蓄光剤を自動的に吹き付け、犯人の早期逮捕を支援すること。【解決手段】噴射用の蓄光剤溶液と圧縮性ガスを充填した噴射ボンベを、ボンベホルダーに装填する。平常時はボンベホルダーをロック状態にし、噴射ボンベを閉栓状態にして待機位置に保持する。ボンベホルダーが待機位置にあるとき、ＬＥＤからなる励起光源は噴射ボンベ内の蓄光剤に対して紫外線を含む励起光を与えて蓄光させる。犯罪行為が発生した非常時には、ロック状態を開放し、噴射ボンベを噴射位置に案内して開栓状態にする。こうして動作信号が入力されると、出入口から逃走する犯人に対して、１秒以内に液状又は泡状の蓄光剤を噴射させることができる。【選択図】図１６
2006178595.tif 000002
【特許請求の範囲】
【請求項１】
逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、
噴射用の蓄光剤溶液と圧縮性ガスを充填した噴射容器を噴射ボンベとするとき、ロック状態では前記噴射ボンベを閉栓状態にして待機位置に保持し、前記ロック状態が開放されたときは、前記噴射ボンベを噴射位置に案内して開栓状態にするボンベホルダーと、
前記ボンベホルダーを待機状態に留め、動作信号が与えられたときには前記待機状態のロックを解除する作動ロック部と、
前記ボンベホルダーが待機位置にあるとき、装填された前記噴射ボンベ内の蓄光剤に対して紫外線を含む励起光を与える励起光源と、
前記作動ロック部に対してロック解除の起動信号を与える制御回路部と、を具備することを特徴とする防犯用蓄光剤噴射装置。
【請求項２】
逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、
噴射用の蓄光剤溶液と圧縮性ガスを充填した噴射容器を噴射ボンベとするとき、ロック状態では前記噴射ボンベを閉栓状態にして待機位置に保持し、前記ロック状態が開放されたときは、前記噴射ボンベを噴射位置に案内して開栓状態にするボンベホルダーと、
前記噴射ボンベを装脱する装填位置に前記ボンベホルダーを保持する安全防止ロック部と、
前記ボンベホルダーを待機状態に留め、動作信号が与えられたときには前記待機状態のロックを解除する作動ロック部と、
前記ボンベホルダーが待機位置にあるとき、装填された前記噴射ボンベ内の蓄光剤に対して紫外線を含む励起光を与える励起光源と、
前記作動ロック部に対してロック解除の動作信号を与える制御回路部と、を具備することを特徴とする防犯用蓄光剤噴射装置。
【請求項３】
逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、
噴射用の蓄光剤溶液と圧縮性ガスを充填した噴射ボンベと、
前記噴射ボンベのノズル部を押圧する噴射レバーを有し、ロック状態では前記噴射ボンベを待機位置に保持し、前記ロック状態が開放されたきは、前記噴射ボンベを噴射位置に案内するボンベホルダーと、
前記ボンベホルダーを待機状態に留め、動作信号が与えられたときには前記待機状態のロックを解除する作動ロック部と、
前記ボンベホルダーが待機位置及び装填位置にある場合には、前記噴射レバーを前記ノズル部の閉栓位置に保持し、前記ボンベホルダーが噴射位置にある場合には、前記噴射レバーを前記ノズル部の開栓位置に回動させるアクチュエータ部と、
前記ボンベホルダーが待機位置にあるとき、装填された前記噴射ボンベ内の蓄光剤に対して紫外線を含む励起光を与える励起光源と、
前記作動ロック部に対してロック解除の起動信号を与える制御回路部と、を具備することを特徴とする防犯用蓄光剤噴射装置。
【請求項４】
逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、
噴射用の蓄光剤溶液と圧縮性ガスを充填した噴射ボンベと、
前記噴射ボンベのノズル部を押圧する噴射レバーを有し、ロック状態では前記噴射ボンベを待機位置に保持し、前記ロック状態が開放されたきは、前記噴射ボンベを噴射位置に案内するボンベホルダーと、
前記ボンベホルダーを待機状態に留め、動作信号が与えられたときには前記待機状態のロックを解除する作動ロック部と、
前記噴射ボンベを装脱する装填位置に前記ボンベホルダーを保持する安全防止ロック部と、
前記ボンベホルダーが待機位置及び装填位置にある場合には、前記噴射レバーを前記ノズル部の閉栓位置に保持し、前記ボンベホルダーが噴射位置にある場合には、前記噴射レバーを前記ノズル部の開栓位置に回動させるアクチュエータ部と、
前記ボンベホルダーが待機位置にあるとき、装填された前記噴射ボンベ内の蓄光剤に対して紫外線を含む励起光を与える励起光源と、
前記作動ロック部に対してロック解除の起動信号を与える制御回路部と、を具備することを特徴とする防犯用蓄光剤噴射装置。
【請求項５】
前記制御回路部は、起動信号を与える操作スイッチと、噴射対象が特定の場所を通過したことを検出して通過信号を発生する人感センサーとを有し、
前記操作スイッチから起動信号が入力された後、前記人感センサーから通過信号が入力されたときにのみ、前記作動ロック部に対して前記動作信号を与えることを特徴とする請求項１〜４の何れか１項記載の防犯用蓄光剤噴射装置。
【請求項６】
前記アクチュエータ部は、
前記噴射装置本体の筐体に固定された円盤状の部材であって、外周面に略同一曲率半径の摺動面が形成され、前記摺動面の一部に切り欠きが設けられたカムと、
先端に前記カムの摺動面に従動するカムフォロワーを持つヒンジ連結レバーと、
前記ヒンジ連結レバーを前記カムの摺動面に従動させる与圧を与えるスプリングと、を具備し、
前記カムフォロワーが前記カムの切り欠きに入ったとき、前記ボンベホルダーの噴射レバーを前記開栓位置に移動させることを特徴とする請求項３又は４記載の防犯用蓄光剤噴射装置。
【請求項７】
前記励起光源は、少なくとも紫外線を発光するＬＥＤであることを特徴とする請求項１〜４記載の防犯用蓄光剤噴射装置。
【請求項８】
前記噴射ボンベは、透明の容器に蓄光体を含む溶液及び圧縮ガスが充填されたものであることを特徴とする請求項３又は４記載の防犯用蓄光剤噴射装置。
【請求項９】
前記噴射ボンベは、待機位置で前記蓄光体を含む溶液が容器の下側に位置し、噴射位置では前記ノズル部が下方向に向けられることを特徴とする請求項８記載の防犯用蓄光剤噴射装置。
【発明の詳細な説明】
【技術分野】
【０００１】
本発明は、強盗行為などを行った犯人が施設の出口から逃走するとき、犯人に目印になる蓄光剤を噴きつけ、犯人の早期逮捕を支援するための防犯用蓄光剤噴射装置に関するものである。
【背景技術】
【０００２】
従来、コンビニエンスストアや金融機関の店内に強盗犯人が押し入ったとき、蛍光塗料などの落ちにくい塗料を強盗犯人に付着させて、その後強盗犯人の追跡の手がかかりとする方法がある。この塗料を強盗犯人に付着させる方法の1つとして、カラーボールを用いる方法がある。カラーボールは、物又は人にぶつけると、ボールが破裂して中から塗料が飛び出すものである。
【０００３】
また他の方法として、遠隔操作により強盗犯人に向けて塗料を噴射する噴射装置がある。この噴射装置は、電源スイッチなどによる遠隔操作によって、出入口に設けた噴射口から塗料を噴射するものである。この方法の一例が特許文献１に開示されている。
【０００４】
図１に示すように、銀行などの建物１１に来客用のカウンタ１２があるものとする。建物１１の一部に出入口１３があり、そこには自動ドア１４が設けられている。この場合玄関スペース１５の壁１６に防犯用噴射装置ＳＰが埋め込まれている。犯人が強盗行為をして出入口１３から逃走するとき、店員が図示しないスイッチを操作して玄関スペース１５で塗料を噴射するようになっている。
【０００５】
いずれの場合も、塗料を手がかりに強盗犯人を特定するものである。上記のような犯罪行為が夜間に行われた場合、塗料の付着を目立ちやすくするため、蛍光剤や蓄光剤を用いる方法がある。犯人の身体の一部に蓄光剤が浴びせかけられ、犯人が拘束されたとする。このとき紫外光を含む励起光を照射すると、蓄光剤が励起されて残光し、犯人が暗闇にいても塗料の付着が容易に確認できる。このような用途に利用できる防犯用マーキングスプレーが特許文献２に開示されている。
【０００６】
図２は上記したマーキング塗料を噴射できる防犯用マーキングスプレー２０の一部を破断した斜視図である。マーキングスプレー２０は、本体部２１としてのマーキング液２４及び噴射剤２５、これらを含むスプレー容器２２、噴出ボタン２３、ノズル２６、キャップ２７から成る。マーキング液は蛍光性又は蓄光性を有する成分を含む。キャップ２７を外して噴出ボタン２３を押すと、マーキング液２４がノズル２６の先端から噴出する。マーキング液２４が蛍光性又は蓄光性を有するので、紫外線などを照射すると、マーキング液自身が発光し、暗闇でも認識できる。
【０００７】
このような防犯用マーキングスプレー２０は小型であり、それ自身で噴射機能が発揮されるので、常備品として、また緊急時用として、被害者になる恐れのある人が身の回りに携帯して外出できる。
【０００８】
前述したカラーボールの場合、強盗犯人に対して遠くからカラーボールを投げつけた場合、命中率が低く、必ずしもカラーボールが犯人に当たるとは限らない。また強盗犯人に投げつけて当たったとしても、店員と強盗犯人との距離が近い場合、店員が危険にさらされることがある。例え命中しても、カラーボールの破裂状態にばらつきが生じ、衣服に塗料が付着しているのか否かの区別がはっきりしない場合がある。
【０００９】
また前述した噴射装置の場合、例え噴射溶液が蓄光剤であっても、予め蓄光剤が紫外線などて励起されていないため、犯人が暗闇の店外に出たときは蓄光剤が自ら発光しない。このため犯人を特定することは困難であり、犯人を見失う可能性が高い。
【００１０】
また特許文献１で開示されている防犯用スプレー装置は、玄関の壁１６に埋め込む装置であるため、建物の内装を含む設備費が高くつく。従ってこの噴射装置は、既存の建物、例えば開店中のコンビニエンスストアへの取り付けには不向きである。
【００１１】
また前述した防犯用マーキングスプレー２０の場合は、被害者が直接犯人に向けて噴射しなければならない。コンビニエンスストアや金融機関の店内に強盗犯人が押し入ったとき、店員が即座に防犯用マーキングスプレー２０を取り出せるとは限らない。また店員の危機管理の意識がまちまちで、犯罪行為が発生しても、店員が犯罪に気がつくまでの時間が状況によってはばらつく。また強盗や犯罪行為のパターンも様々である。店員が犯罪行為に気がついたとき、犯人は既に出入口から逃走体制に入っていることが多い。このため、例え防犯用マーキングスプレー２０を取り出したところで、犯人の場所までスプレー液が届かない。
【００１２】
またいずれの方法であっても、普通の塗料を用いる限り、夜間に強盗行為が行われて犯人が暗闇の店外にでた場合、塗料の付着が確認されにくく、犯人の姿が見えにくいので、犯人を見逃してしまうことが多い。
【特許文献１】特開２００１−１０１５３６号
【特許文献２】実用新案登録第３０７１０８６号
【発明の開示】
【発明が解決しようとする課題】
【００１３】
本発明は、このような課題に鑑みてなされたものであって、液状又は泡状の蓄光剤を犯罪行為者に対して高い確率で自動的に且つ高速に付着させることのでき、且つ噴射機構が簡単で、メンテンスが容易であり、装置の価格が安価であり、噴射機能の経年変化のない防犯用蓄光剤噴射装置を提供することを目的とする。
【００１４】
このため開発のポイントを以下のように設定した。
１：噴射ボンベ（以下、ボンベという）は液状又は泡状の噴射方式を用いる。この方が純粋液と比較して付着効果が大きい。粉体の噴射方式もあるが、この方式では風で拡散しやすく、付着が散漫になり易い。また蓄光剤に対する予備蓄光が困難である。
２：ノズルの詰まりや蓄光液の沈着防止のため、実際の稼動時にボンベを反転させるようにする。このため、ボンベとボンベホルダーの自重を利用して回転トルクを発生させ、そのトリガー機構としてソレノイドやリンクレバー等を用いる。
３：既存の店舗が容易に採用できるよう、装置の価格が安価になる機構を採用する。このため、一回の噴射で動作が終了する機構を用い、そのボンベは使い捨て方式とする。従って再度の動作をさせる場合、ボンベを交換してボンベホルダーの姿勢を手動で初期状態に戻すようにする。
【課題を解決するための手段】
【００１５】
この課題を解決するために、本発明の防犯用蓄光剤噴射装置は、逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、噴射用の蓄光剤溶液と圧縮性ガスを充填した噴射容器を噴射ボンベとするとき、ロック状態では前記噴射ボンベを閉栓状態にして待機位置に保持し、前記ロック状態が開放されたときは、前記噴射ボンベを噴射位置に案内して開栓状態にするボンベホルダーと、前記ボンベホルダーを待機状態に留め、動作信号が与えられたときには前記待機状態のロックを解除する作動ロック部と、前記ボンベホルダーが待機位置にあるとき、装填された前記噴射ボンベ内の蓄光剤に対して紫外線を含む励起光を与える励起光源と、前記作動ロック部に対してロック解除の起動信号を与える制御回路部と、を具備することを特徴とするものである。
【００１６】
この課題を解決するために、本発明の防犯用蓄光剤噴射装置は、逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、噴射用の蓄光剤溶液と圧縮性ガスを充填した噴射容器を噴射ボンベとするとき、ロック状態では前記噴射ボンベを閉栓状態にして待機位置に保持し、前記ロック状態が開放されたときは、前記噴射ボンベを噴射位置に案内して開栓状態にするボンベホルダーと、前記噴射ボンベを装脱する装填位置に前記ボンベホルダーを保持する安全防止ロック部と、前記ボンベホルダーを待機状態に留め、動作信号が与えられたときには前記待機状態のロックを解除する作動ロック部と、前記ボンベホルダーが待機位置にあるとき、装填された前記噴射ボンベ内の蓄光剤に対して紫外線を含む励起光を与える励起光源と、前記作動ロック部に対してロック解除の動作信号を与える制御回路部と、を具備することを特徴とするものである。
【００１７】
この課題を解決するために、本発明の防犯用蓄光剤噴射装置は、逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、噴射用の蓄光剤溶液と圧縮性ガスを充填した噴射ボンベと、前記噴射ボンベのノズル部を押圧する噴射レバーを有し、ロック状態では前記噴射ボンベを待機位置に保持し、前記ロック状態が開放されたきは、前記噴射ボンベを噴射位置に案内するボンベホルダーと、前記ボンベホルダーを待機状態に留め、動作信号が与えられたときには前記待機状態のロックを解除する作動ロック部と、前記ボンベホルダーが待機位置及び装填位置にある場合には、前記噴射レバーを前記ノズル部の閉栓位置に保持し、前記ボンベホルダーが噴射位置にある場合には、前記噴射レバーを前記ノズル部の開栓位置に回動させるアクチュエータ部と、前記ボンベホルダーが待機位置にあるとき、装填された前記噴射ボンベ内の蓄光剤に対して紫外線を含む励起光を与える励起光源と、前記作動ロック部に対してロック解除の起動信号を与える制御回路部と、を具備することを特徴とするものである。
【００１８】
この課題を解決するために、本発明の防犯用蓄光剤噴射装置は、逃走経路付近に噴射装置本体が設置され、逃走が見込まれる犯罪者などの噴射対象に対して、蓄光剤を含むエアゾルを噴射して付着させることで、噴射対象を識別又は特定可能にするための防犯用蓄光剤噴射装置であって、噴射用の蓄光剤溶液と圧縮性ガスを充填した噴射ボンベと、前記噴射ボンベのノズル部を押圧する噴射レバーを有し、ロック状態では前記噴射ボンベを待機位置に保持し、前記ロック状態が開放されたきは、前記噴射ボンベを噴射位置に案内するボンベホルダーと、前記ボンベホルダーを待機状態に留め、動作信号が与えられたときには前記待機状態のロックを解除する作動ロック部と、前記噴射ボンベを装脱する装填位置に前記ボンベホルダーを保持する安全防止ロック部と、前記ボンベホルダーが待機位置及び装填位置にある場合には、前記噴射レバーを前記ノズル部の閉栓位置に保持し、前記ボンベホルダーが噴射位置にある場合には、前記噴射レバーを前記ノズル部の開栓位置に回動させるアクチュエータ部と、前記ボンベホルダーが待機位置にあるとき、装填された前記噴射ボンベ内の蓄光剤に対して紫外線を含む励起光を与える励起光源と、前記作動ロック部に対してロック解除の起動信号を与える制御回路部と、を具備することを特徴とするものである。
【００１９】
ここで前記制御回路部は、起動信号を与える操作スイッチと、噴射対象が特定の場所を通過したことを検出して通過信号を発生する人感センサーとを有し、前記操作スイッチから起動信号が入力された後、前記人感センサーから通過信号が入力されたときにのみ、前記作動ロック部に対して前記動作信号を与えるようにしてもよい。
【００２０】
ここで前記アクチュエータ部は、前記噴射装置本体の筐体に固定された円盤状の部材であって、外周面に略同一曲率半径の摺動面が形成され、前記摺動面の一部に切り欠きが設けられたカムと、先端に前記カムの摺動面に従動するカムフォロワーを持つヒンジ連結レバーと、前記ヒンジ連結レバーを前記カムの摺動面に従動させる与圧を与えるスプリングと、を具備し、前記カムフォロワーが前記カムの切り欠きに入ったとき、前記ボンベホルダーの噴射レバーを前記開栓位置に移動させるようにしてもよい。
【００２１】
ここで前記励起光源は、少なくとも紫外線を発光するＬＥＤとしてもよい。
【００２２】
ここで前記噴射ボンベは、透明の容器に蓄光体を含む溶液及び圧縮ガスが充填されたものとしてもよい。
【００２３】
ここで前記噴射ボンベは、待機位置で前記蓄光体を含む溶液が容器の下側に位置し、噴射位置では前記ノズル部が下方向に向けられるようにしてもよい。
【発明の効果】
【００２４】
本発明によれば、液状又は泡状の蓄光剤を予め励起しておき、強盗犯罪行為があったときは、店舗などの出入り口から犯人に向けて蓄光済みの蓄光剤を付着させることができる。このため夜間でも犯人の追跡が容易になる。また噴射装置に人感センサーを接続し、この人感センサーを出入口に取り付けることにより、店舗の店員が強盗行為に気がついて噴射装置の起動スイッチを操作したとき、犯人が出入口などの有効射程範囲に入ったタイミングで噴射装置を動作させ、犯人に対して蓄光剤を確実に付着させることができる。
【発明を実施するための最良の形態】
【００２５】
本発明の実施の形態における防犯用蓄光剤噴射装置について説明する。図３は防犯用蓄光剤噴射装置３０のシステム構成図である。防犯用蓄光剤噴射装置は噴射装置本体３１、電源部を含む制御回路部３２、操作スイッチ３３、センサー３４を含んで構成される。操作スイッチ３３は、店員が犯罪行為を発見し、犯人が逃走すると判断したときに店員が操作するスイッチである。操作スイッチ（ＳＷ）３３はカウンタに取り付けるのがよい。詳しくは、操作スイッチ３３の位置は、レジスタの付近やカウンタテーブルの裏面が望ましく、誤操作されない場所がよい。この操作スイッチ３３は、噴射装置本体３１のプリセットを行うものであって、出入口３６に取り付けたセンサー３４からの通過信号によって制御回路部３２が動作し、実際の噴射タイミングが決定される。これは強盗犯人が犯罪行為をしてから、店外に逃走するには時間差があり、ボンベの有効噴射時間が短いことにも関係する。
【００２６】
図４は、防犯用蓄光剤噴射装置の取り付け位置を示す概念図である。コンビニエンスストア３５の出入口３６の天井部分３７に噴射装置本体３１を取り付ける。また防犯用蓄光剤噴射装置の操作スイッチ３３をカウンタに取り付ける。なおセンサー３４を取り付けない場合は、操作スイッチ３３の起動信号によって噴射装置本体３１が動作する。またセンサー３４を設ける代わりに、出入口３６のドアの開放と連動するようにしてもよい。自動ドアの場合は、その駆動ユニットの信号を用い、手動ドアの場合はリミットＳＷの信号を用いることができる。
【００２７】
本実施の形態では、蓄光剤は予め紫外線を含む励起光で励起しておく。これは蓄光剤の噴射と同時に、強盗犯人の衣服、頭髪、その他の身体部分に付着した場合、暗闇であっても即座に付着を識別できるからである。通常、噴射装置本体内のボンベは、ノズル部分は上になるように傾斜してボンベホルダーに保持する。蓄光剤を平面的に塗布した蓄光パネルと異なり、本実施の形態ではボンベ内に蓄光体が液体で詰まった状態になっている。このため励起光を照射しても、ボンベの中心部の蓄光体には励起光が届きにくい。従ってその分、励起光の光量を増加させねばならない。
【００２８】
このため、ボンベと励起光源であるＬＥＤとの位置関係、及びＬＥＤの設置個数などについて検討した。図５はボンベ４４とＬＥＤ４１との位置関係を示す説明図である。基本的には図５（ａ）、（ｂ）に示すように、ボンベの外周の軸対照となる位置から蓄光剤を励起することが好ましい。そこでＬＥＤの配置箇所、数の組み合わせとして、片側３個、両側３個の計６個、両側２個の計４個における蓄光効果を検討した。またボンベとＬＥＤとの距離として、１０ｍｍ、２０ｍｍ、３０ｍｍの場合の蓄光効果を検討した。その結果、３つのＬＥＤを用い、３つのＬＥＤからボンベの外壁までの距離を夫々１０ｍｍ、２０ｍｍ、３０ｍｍとした。
【００２９】
次に蓄光剤の照射時間と残光時間との関係を調べた。図６は照射時間及び残光時間と、残光量照度との関係を示す特性図である。ここでは照射時間Ｔｓとして、１５秒、３０秒、６０秒、５分、１０分、６０分、１２０分の場合の残光量照度を調べた。ＬＥＤによる照射時間を１２０分とした場合、１２０分までの照射時間における残光量照度を調べると、曲線Ｋ１のようになる。１２０分で励起を中止すると、残光時間Ｔｚと残光量照度との関係は曲線Ｋ２のようになる。
【００３０】
このような特性から判断して、残光量照度は１００分程度の照射で飽和することがわかる。また飽和値をＬｍとすると、１００分以上の照射後では、飽和値Ｌｍの１／３程度の残光照度Ｌ０が得られる。この残光照度に応じたマーキングが犯人の身体から識別できる。
【００３１】
本実施の形態における噴射機構を主体とする噴射装置本体の構造について、図７を用いて説明する。図７（ａ）は、噴射装置本体の横側面図であり、図７（ｂ）は背部側面図である。図７において噴射装置本体は、小型の本体ケース４２と透明の蓋４３に噴射機構が内蔵されたものとなっている。本実施の形態では本体ケース４２はアルミニュームの板金製とするが、樹脂を用いた成型品でも良い。蓋４３を透明としたのは、噴射機構を目視可能とし、ボンベの状態を点検容易にするためである。
【００３２】
ボンベ４４の概観図を図８に示す。ホンベ４４は、ボンベ本体４４ａ、ボンベキャップ４４ｂ、ノズル４４ｃ、ノズルガイド４５からなり、ボンベ本体４４ａの内部には溶剤を含む蓄光剤、圧縮ガスが充填されている。溶剤を含む蓄光剤、圧縮ガスをエアゾルともいう。ボンベ本体４４ａは透明なガラス成型品であり、防爆対策として透明な樹脂フィルムでラップされている。ノズルガイド４５は、ストレートパイプ製のノズル４４ｃに対して外部から押圧力を与えるもので、圧入によりノズル４４ｃと一体になり、ノズル部が形成される。ノズルガイド４５の外形形状は富士山状であり、その平均外径は後述する噴射レバーの開口部の径より大きい。ノズル４４ｃ又はノズルガイド４５に３０Ｎ以上でストロークが３ｍｍの押圧力を与えると、ボンベ４４は開栓状態となる。
【００３３】
図７に示すように、噴射機構は大別してボンベホルダー４６、作動ロック部４７、アクチュエータ部４８、安全防止ロック部４９、アーム５０から構成される。ボンベホルダー４６は、ボンベ４４を保持して待機位置と噴射位置とに回動するホルダーである。なお安全防止ロック部４９がロック状態にあるとき、作動ロック部４７がロック解除状態になっても、ボンベホルダー４６は待機位置から噴射位置に至る途中のロック位置に保持される。このロック位置をボンベの充填位置ともいう。
【００３４】
ボンベホルダー４６単体の構造図を図９に示す。ボンベホルダー４６は、ホルダー４６ａ、噴射レバー４６ｂ、噴射レバー用のヒンジ部４６ｃ、ボンベ押さえ４６ｄ、ボンベ押さえのヒンジ部４６ｅ、係止片４６ｆを有している。ホルダー４６ａはボンベ４４の外周部を保持するものであり、同軸の２つの回転軸４６ｇを有している。一方の回転軸４６ｇは、本体ケース４２に固定されたアーム５１に軸支され、他方の回転軸４６ｇは後述するカム４８ａに軸支される。
【００３５】
噴射レバー４６ｂは、ホルダー４６ａに対してヒンジ部４６ｃを介して第１位置又は第２位置に回動する板状部材である。噴射レバー４６ｂは、第１位置でボンベ４４のノズルガイド４５を開放してボンベ４４を閉栓状態にし、第２位置でノズルガイド４５を強く押圧することにより、ボンベ４４を開栓状態にする。第１位置における噴射レバー４６ｂの押圧力と、第２位置における噴射レバー４６ｂの押圧力とは、共に一端がホルダー４６ａの一部に係合されたコイルスプリング（図示せず）の引張力によって保持される。噴射レバー４６ｂには、ボンベ４４のノズル４４ｃの外径より大きく、ノズルガイド４５の有効外径と同等の径を有する開口が設けられる。
【００３６】
ヒンジ部４６ｃは、ホルダー４６ａに対して噴射レバー４６ｂを回動自在に保持するもので、ここでは蝶番が用いられる。なおホルダー４６ａと噴射レバー４６ｂとを樹脂で一体成形する場合、支点部分の肉厚を薄くすることにより、ヒンジ部４６ｃも一体成形できる。
【００３７】
ボンベ押さえ４６ｄは、ホルダー４６ａに対してヒンジ部４６ｅを介してボンベ４４のボトム部を柔軟に保持する板状部材である。ボンベ押さえ４６ｄには、ボンベ４４の長さのばらつき、ボンベ４４の形状の相違に追随できるよう、樹脂製のパッドが取り付けられる。長さのばらつきに対してはパッドの弾性変形で吸収でき、形状の相違にはパッドの厚みを変更することで対応できる。
【００３８】
ヒンジ部４６ｅは、ホルダー４６ａに対してボンベ押さえ４６ｄを回動自在に保持するもので、ここでも蝶番が用いられる。なおホルダー４６ａとボンベ押さえ４６ｄとを樹脂で一体成形する場合、噴射レバー４６ｂの場合と同様、ヒンジ部４６ｅもホルダー４６ａと一体成形できる。ホルダー４６ａに取り付けられた係止片４６ｆは、待機時のホルダー４６ａにおいて、後述する作動ロック部のラッチレバーと係合する部材である。
【００３９】
次にアクチュエータ部４８について、図１０（ａ）、（ｂ）、（ｃ）を用いて説明する。アクチュエータ部４８は、カム４８ａ、カムフォロワー４８ｂ、カムフォロワー用のスプリング４８ｃ、ヒンジ連結レバー４８ｄ、ピン４８ｅを有している。カムｅ４８ａは円盤状の部材であり、その外周側面は同一回転半径を有する摺動面となっている。カム４８ａの中心を原点とし、正規の姿勢で取り付けられた噴射装置の鉛直方向をｙ軸とし、水平方向をｘ軸とし、原点を中心として＋ｘ軸からの回転角をθする。θ＝（−90°＋Δ）からＣＷ方向のθ＝（＋270°−Δ）の範囲では、原点から見た摺動面の半径は一定である。そしてθ＝（＋270°−Δ）からθ＝（−90°＋Δ）までの範囲では切り欠き４８ｆが設けられている。この切り欠き４８ｆの深さは摺動面から見てＤ１とし、切り欠き４８ｆの幅はＤ２とする。
【００４０】
図１０（ａ）は待機位置を示し、図１０（ｂ）はロック位置（ボンベの装填位置）を示し、（ｃ）は噴射位置を示す。カムフォロワー４８ｂは低摩擦係数を持つ樹脂製で、その断面が凸状の部材である。凸部の幅はＤ２より狭く、長さはＤ１より少し短い。ヒンジ連結レバー４８ｄは、カムフォロワー４８ｂと一体となるよう連結され、ピン４８ｅに一端が取り付けられたスプリング４８ｃによってカム４８ａの中心方向に引っ張られている。なお、カムフォロワー４８ｂとヒンジ連結レバー４８ｄとは、樹脂による一体成形で実現できる。
【００４１】
図１０（ａ）の待機位置では、カムフォロワー４８ｂがθ＝15°の位置にあり、カムフォロワー４８ｂの凸部がカム４８ａの摺動面に乗っている。図１０（ｂ）のロック位置でも、カムフォロワー４８ｂの凸部がカム４８ａの摺動面に乗っている。図１０（ｃ）の噴射位置では、カムフォロワー４８ｂがθ＝−90°の位置にある。この位置では、ヒンジ連結レバー４８ｄがスプリング４８ｃの強い引張力を受け、カムフォロワー４８ｂの凸部がカム４８ａの切り欠き４８ｆに嵌り込む。
【００４２】
作動ロック部４７について、図１１を用いて説明する。作動ロック部４７はラッチレバー４７ａ、ソレノイド４７ｂ、リンクレバー４７ｃ、復帰スプリング４７ｄを含んで構成される。作動ロック部４７は待機状態にあるボンベホルダー４６を、ソレノイド４７ｂの通電により噴射位置まで回動させるため、ロックの解除を行うものである。ソレノイド４７ｂは例えばＤＣ駆動タイプとし、ＡＣアダプターと起動スイッチにより直流電源が供給されることにより、引き込み動作をする。復帰スプリング４７ｄは一端がピンを介して本体ケース４２に固定され、他端はリンクレバー４７ｃに係合し、図１１の右側にリンクレバー４７ｃを引き寄せている。ラッチレバー４７ａは、一端がリンクレバー４７ｃと係合し、軸４７ｅにより回動自在に保持されている。ラッチレバー４７ａの一部には係合凹部４７ｆが形成され、ボンベホルダー４６の係止片４６ｆと待機位置で係合する。
【００４３】
安全防止ロック部４９について、図１２を用いて説明する。安全防止ロック部４９は、ケース４９ａ、リリースレバー４９ｂ、ストッパ用パッド４９ｃ、解除用シャフト４９ｄを含んで構成される。安全防止ロック部４９は、ボンベホルダー４６をボンベの装填位置に保持するものである。新しいボンベ４４をボンベホルダー４６に装填するとき、ノズルガイド４５を不用意に押したり、ボンベホルダー４５が噴射位置に不用意に来ると、蓄光剤が噴射する恐れがある。これを防止するため、安全防止ロック部４９が設けられる。蓋４３が開いて状態ではボンベ４４が噴射位置にまで回転しないように、リリースレバー４９ｂがボンベホルダー４６の背後を押圧して制止する。リリースレバー４９ｂは図示しないコイルスプリングにより、紙面の手前方向に引き寄せられている。蓋４３が閉まると、解除用シャフト４９ｄが押され、リリースレバー４９ｂは紙面の裏方向に押されて、この位置でのロックが解除される。
【００４４】
本体ケース４２には図７（ａ）に示すように励起光源５２が設けられている。図１３（ａ）は励起光源５２の平面図であり、図１３（ｂ）は側面図である。励起光源５２はＬＥＤ基板５２ａに複数個のＬＥＤ５２ｂが取り付けられたもので、紫外光を含む励起光をボンベ４４内の蓄光剤に放射する。
【００４５】
以上のように構成された防犯用蓄光剤噴射装置について、噴射機構を主体とする動作説明をする。ボンベを装填するには、まず蓋４３を開く。このとき図１２に示す解除用シャフト４９ｄは、その片端が蓋４３に当接しなくなり、開放される。次にリリースレバー４９ｂがスプリングの引張力によって紙面の手前方向に持ち上げられる。
【００４６】
初期状態の防犯用蓄光剤噴射装置において、ボンベ４４がまだボンベホルダー４６に充填されていなく、アクチュエータ部４８は図１０（ａ）の位置にあるとする。ユーザは図３の操作スイッチ３３をオンにする。すると図３の制御回路部３２に起動信号が与えられ、且つセンサー３４から犯人の通過信号が与えられると、ソレノイド４７ｂが短時間励起される。この後直ちに、図７又は図１１の作動ロック部４７が動作し、ラッチレバー４７ａがＣＣＷ方向に回動する。なお、制御回路部３２の電源をオフにし、手動で作動ロック部４７を動かしても良い。
【００４７】
次に手動でボンベホルダー４６をＣＷ方向に回動させる。このときアクチュエータ部４８は図１０（ｂ）の位置まで回動し、図１２のリリースレバー４９ｂの先端に当接して停止する。この状態でノズルガイド４５が取り付けられたボンベ４４をボンベホルダー４６に装填する。次に手動でボンベホルダー４６をＣＣＷ方向に回動させ、アクチュエータ部４８を図１０（ａ）の待機位置に移動させる。このときは既にソレノイド４７ｂがオフ状態なので、ボンベホルダー４６の係止片４６ｆが図１１に示すラッチレバー４７ａの係合凹部４７ｆと係合する。こうしてボンベ４４を装填したボンベホルダー４６が待機位置にロックされる。この状態を図１４に示す。
【００４８】
図３の制御回路部３２が商用電源に接続されているので、励起光源５２のＬＥＤが発光し、紫外線や可視光が出力される。ボンベ本体４４ａは透明なガラス製なので、紫外線や可視光がこの位置のボンベ本体４４ａに入射される。こうして蓄光剤が励起されて蓄光する。
【００４９】
次にコンビニエンスストアなどの店舗に強盗犯人が押し入り、犯人がレジスタの現金を強奪したり、商品を万引きしたとする。店員がこの強盗行為に気がつき、説得を行うもこれに応じず、現金や商品を持ち逃げする場合を想定する。このとき店員はすぐさま操作スイッチ３３をオンにする。このやがて犯人が図４に示すように出入り口３６から逃走しようとすると、図３のセンサー３４が犯人の通過を検出する。このセンサー３４は検知物体の方向を識別可能な人感センサーとし、ドアが開いて外から正規の客が入っても動作せす、店内から外に出る人にのみ通過信号を出力する。この通過信号によって制御回路部３２が動作し、図７又は図１１のソレノイド４７ｂが短時間オンになる。この後の噴射機構の状態を図１５に示す。
【００５０】
次にホンベ４４を保持したボンベホルダー４６の自重により回転モーメントが生じる。このため、ボンベホルダー４６が回転軸４６ｇを中心としてＣＷ方向に回動する。蓋４３が締められているので、安全防止ロック部４９が動作せず、アクチュエータ部４８は図１０の（ｃ）の位置、即ちボンベホルダーｅ２は図１６（ａ）、（ｂ）に示す状態となる。（ａ）は噴射装置本体の横側面図であり、（ｂ）は背部側面図である。このときはスプリング４８ｃの引張力で、カムフォロワー４８ｂがカム４８ａの切り欠き４８ｆに素早く嵌り込む。このため、図９又は図１６（ｂ）に示す噴射レバー４６ｂによって、ボンベ４４のノズルガイド４５が強く押される。この後、ボンベ内のガス圧により、蓄光剤が泡状または霧状に噴射される。そして犯人の頭部又は衣服には蓄光剤が降りかかる。
【００５１】
このような強盗行為が夜間に行われ、犯人が暗闇に逃走しても、蓄光剤自身が特殊な色で残光しているので、第３者又は通報を受けた警察官が犯人を捕まえ易くなる。
【００５２】
再度、防犯用蓄光剤噴射装置を使用可能にセットするには、蓋４３を開いて、噴射レバー４６ｂをＣＷ方向に強く押し、ボンベホルダー４６をＣＣＷ方向に回動させ、図１７（ａ）、（ｂ）に示す状態にロックすればよい。この状態では、ボンベ４４の周辺部が開放されているので、ユーザがボンベ４４を容易に取り外すことできる。
【００５３】
以上の実施の形態では下記の仕様（数値）が得られた。尚、各仕様における数値は、噴射装置本体の設置箇所によって変更される。
１−１：放射能力として、高さ２．５ｍから蓄光剤を放出して、床面でφ１ｍ以上の放射範囲が得られた。
１−２：放射時間を２０秒程度である。
１−３：ボンベの容積を１００ｃｃとし、ボンベ内の含有物は、蓄光原液７０ｇ、イオン水１０ｇ、圧縮性の高圧ガスとした。
１−４：ホンベのノズルに関して、ストロークは３ｍｍ、開栓に必要な押圧力は約３０Ｎである。
【００５４】
本発明の防犯用蓄光剤噴射装置によれば、次のような効果が得られる。
２−１：液状、泡状の蓄光剤を噴射する噴射装置を、店舗などの出入り口に防犯用として設置することにより、確実に蓄光剤を犯人に付着させることができる。
２−２：予め励起光源により蓄光された蓄光剤を噴射させることにより、夜間でも犯人の追跡が容易になる。
２−３：蓄光剤の励起光源として紫外線用のＬＥＤを使用することにより、励起光源の長寿命化を図ることができる。
２−４：待機状態では噴射ボンベの溶液が、ノズル部に進入しないような角度でボンベを維持するので、液状、泡状のエアゾールを噴射する際のノズル部の詰まりを防止することができる。そして噴射時にはボンベホルダーを回転動作させ、ノズル部を下向きの噴射方向、即ち犯人の方向に向けることにより、噴射ミスを少なくすることができる。
２−５：噴射装置に人感センサーを設けることにより、店舗の店員が強盗行為に気がついて噴射装置の起動スイッチを操作したとき、犯人が有効射程範囲に入ったタイミングで噴射装置を動作させ、犯人に対して確実に蓄光剤を付着させることができる。
２−６：透明の容器（ボンベ）を用いて噴射の前に蓄光剤を蓄光（励起）しておくことで、蓄光した状態の蓄光剤が犯人の体に付着させることができる。このため、暗闇においても犯人を容易に見分けることができる。
【図面の簡単な説明】
【００５５】
【図１】従来例における防犯用スプレー装置の構成図である。
【図２】従来例におけるマーキングスプレーの一部切り欠き概観図である。
【図３】本発明の防犯用蓄光剤噴射装置のシステム構成図である。
【図４】噴射装置本体の取り付け例を示す説明図である。
【図５】ボンベと励起光源との位置関係を示す配置図である。
【図６】蓄光剤の照射時間と残光量照度との関係を示す特性図である。
【図７】本発明の噴射装置本体の構成を示す側面図である。
【図８】本発明の防犯用蓄光剤噴射装置に用いられるボンベの外観図である。
【図９】噴射装置本体に用いられるボンベホルダーの構成図である。
【図１０】噴射装置本体に用いられるアクチュエータ部の動作原理図である。
【図１１】噴射装置本体に用いられる作動ロック部の構成図である。
【図１２】噴射装置本体に用いられる安全防止ロック部の構成図である。
【図１３】噴射装置本体に用いられる励起光源の構成図である。
【図１４】噴射装置本体の待機状態を示す側面図である。
【図１５】噴射装置本体のロックが外れかけた状態を示す側面図である。
【図１６】噴射装置本体の噴射状態を示す側面図である。
【図１７】噴射装置本体のロック状態を示す側面図である。
【符号の説明】
【００５６】
３０  防犯用蓄光剤噴射装置
３１  噴射装置本体
３２  制御回路部
３３  操作スイッチ
３４  センサー
３５  店舗（コンビニエンスストア）
３６  出入口
３７  天井
４１  ＬＥＤ
４２  本体ケース
４３  蓋
４４  ボンベ
４６  ボンベホルダー
４６ａ  ホルダー
４６ｂ  噴射レバー
４６ｃ  第１のヒンジ部
４６ｄ  ボンベ押さえ
４６ｅ  第２のヒンジ部
４６ｆ  係止片
４６ｇ  回転軸
４７  作動ロック部
４７ａ  ラッチレバー
４７ｂ  ソレノイド
４７ｃ  リンクレバー
４７ｄ  復帰スプリング
４７ｅ  軸
４７ｆ  係合凹部
４７ｇ  ピン
４８  アクチュエータ部
４８ａ  カム
４８ｂ  カムフォロワー
４８ｃ  カムフォロワー用スプリング
４８ｄ  ヒンジ連結レバー
４８ｅ  ピン
４９  安全防止ロック部
４９ａ  ケース
４９ｂ  リリースレバー
４９ｃ  ストッパ用パッド
４９ｄ  解除用シャフト
５０  アーム
５２  励起光源
５２ａ  ＬＥＤ基板
５２ｂ  ＬＥＤ
【図１】
2006178595.tif 000003
【図２】
2006178595.tif 000004
【図３】
2006178595.tif 000005
【図４】
2006178595.tif 000006
【図５】
2006178595.tif 000007
【図６】
2006178595.tif 000008
【図７】
2006178595.tif 000009
【図８】
2006178595.tif 000010
【図９】
2006178595.tif 000011
【図１０】
2006178595.tif 000012
【図１１】
2006178595.tif 000013
【図１２】
2006178595.tif 000014
【図１３】
2006178595.tif 000015
【図１４】
2006178595.tif 000016
【図１５】
2006178595.tif 000017
【図１６】
2006178595.tif 000018
【図１７】
2006178595.tif 000019